(57)【要約】【課題】低い消費電力で高精度に測定対象セルの受信品質を測定する。【解決手段】受信品質測定装置１５は、受信信号の第１サンプリングレートの第１サンプル列、及び受信信号の第２サンプリングレートの第２サンプル列の少なくとも一方をダウンサンプリングすることにより、第１サンプル列及び第２サンプル列のサンプリングレートを共通のサンプリングレートに合わせるレート変更部（４０）と、共通のサンプリングレートの第１サンプル列及び第２サンプル列の何れか一方のサンプル列に含まれる所定数のサンプルの電力の累計に応じた電力強度を算出する電力算出部（４１）を備える。【選択図】図６
2014160974.tif 000002
【特許請求の範囲】
【請求項１】
受信信号の第１サンプリングレートの第１サンプル列、及び受信信号の第２サンプリングレートの第２サンプル列の少なくとも一方をダウンサンプリングすることにより、前記第１サンプル列及び前記第２サンプル列のサンプリングレートを共通のサンプリングレートに合わせるレート変更部と、
前記共通のサンプリングレートの前記第１サンプル列及び前記第２サンプル列の何れか一方のサンプル列に含まれる所定数のサンプルの電力の累計に応じた電力強度を算出する電力算出部と、
を備えることを特徴とする受信品質測定装置。
【請求項２】
前記電力算出部は、所定数のサンプルの電力の移動累計に応じた電力強度を順次出力し、
前記受信品質測定装置は、
受信信号のパスタイミングを検出するパスサーチ部と、
前記電力算出部により電力強度が算出される受信信号以前に前記パスサーチ部により検出された第１のパスタイミングに基づいて、前記第１のパスタイミング後の１つの第２のパスタイミングの複数の候補を決定する第１タイミング決定部と、
前記第２のパスタイミングの複数の候補にそれぞれ応じたタイミングで、前記電力算出部から出力される電力強度を格納する電力記憶部と、
を備えることを特徴とする請求項１に記載の受信品質測定装置。
【請求項３】
前記パスサーチ部が検出した前記第２のパスタイミングに基づいて、前記第２のパスタイミングの検出前に前記電力記憶部に格納された電力強度を読み出すタイミングを決定する第２タイミング決定部を備えることを特徴とする請求項２に記載の受信品質測定装置。
【請求項４】
前記電力算出部から出力される電力強度を格納する電力記憶部と、
前記電力算出部により電力強度が算出される受信信号以前に前記パスサーチ部により検出されたパスタイミングに基づいて、前記電力算出部から出力される電力強度を前記電力記憶部に格納するタイミングを決定するタイミング決定部を備え、
前記電力算出部は、パスタイミングの許容変動幅に応じて定めた所定数のサンプルの電力の累計に応じた電力強度を算出することを特徴とする請求項１に記載の受信品質測定装置。
【請求項５】
受信信号の第１サンプリングレートの第１サンプル列、及び受信信号の第２サンプリングレートの第２サンプル列の少なくとも一方をダウンサンプリングすることにより、前記第１サンプル列及び前記第２サンプル列のサンプリングレートを共通のサンプリングレートに合わせ、
前記共通のサンプリングレートの前記第１サンプル列及び前記第２サンプル列の何れか一方のサンプル列に含まれる所定数のサンプルの電力の累計に応じた電力強度を算出する、ことを特徴とする受信品質測定方法。
【発明の詳細な説明】
【技術分野】
【０００１】
本明細書で論じられる実施態様は、移動局装置における受信品質の測定に関する。
【背景技術】
【０００２】
Ｗ−ＣＤＭＡ（Wideband Code Division Multiple Access）技術を使用した３Ｇ（3rd Generation）移動通信システムは、ＨＳＤＰＡ（High Speed Downlink Packet Access）の導入により市場の要求を満たし、他のシステムに対する競争力を確保してきた。しかし、今後、急速に伸びるマルチメディアトラフィックやユビキタストラフィックに対応するには長期的に見た技術進化が必要である。
【０００３】
このため、ＬＴＥ（Long term Evolution）、Ｅ−ＵＴＲＡ（Evolved Universal Terrestrial Radio Access）及びＥ−ＵＴＲＡＮ（Evolved Universal Terrestrial Radio Access Network）等として規定されている無線通信システムが普及し始めている。ＬＴＥ、Ｅ−ＵＴＲＡ、及びＥ−ＵＴＲＡＮは、標準化団体である３ＧＰＰ（3rd Generation Partnership Project）の標準規格上で規定されている通信システムである。ＬＴＥでは、３Ｇに比べて遅延が１０ｍｓ程度から５ｍｓ以下に低減され、スループットがＨＳＤＰＡと比べて２〜４倍に増大し、周波数の利用効率が向上する。
【０００４】
上記の３Ｇ移動通信システムやＬＴＥ移動通信システム等では、移動局装置は、無線信号の受信品質を測定する。移動局装置で測定される受信品質の例は、ＲＳＲＰ（Reference Signal Received Power；基準信号受信パワー）やＲＳＲＱ（Reference Signal Received Quality；基準信号受信品質）である。ＲＳＲＰ及びＲＳＲＱは、例えば、以下の用にセル再選択の際に実行される。
【０００５】
例示として、３ＧＰＰリリース９におけるＬＴＥのセル再選択の動作を以下に示す。まず、ＬＴＥセルに在圏している状態で３ＧのＵＭＴＳ（Universal Mobile Telecommunications System）に移行する場合について説明する。ＬＴＥセルから送信されるシステムインフォメーションブロック３にthreshServingLowQが設定されている場合は、ＲＳＲＱ（Reference Signal Received Quality）の閾値判定により動作判定を行うことが規定されている。一方、threshServingLowQが設定されていない場合は、ＲＳＲＰ（Reference Signal Received Power）の閾値判定により動作判定を行うことが規定されている。
【０００６】
また、ＵＭＴＳセルに在圏している状態でＬＴＥに移行する場合に、ＵＭＴＳセルのシステムインフォメーションブロック１９にThreshxのhigh2、Threshxのlow2が両方設定されている場合は、ＲＳＲＱの閾値判定により動作判定を行うことが規定されている。一方、Threshxのhigh2、Threshxのlow2のいずれか一方が設定されていない場合は、ＲＳＲＰの閾値判定により動作判定を行うことが規定されている。このように、３ＧＰＰリリース９ではセル再選択の動作は、ＲＳＲＰ又はＲＳＲＱの閾値により動作判定を行う。
【０００７】
関連する技術として、所定の帯域幅で隣接セルの信号電力を測定するユーザ装置が知られている（例えば、特許文献１参照）。ユーザ装置は、測定時間に応じて測定帯域が変化する測定パターンに従って測定帯域を決定する測定帯域管理部と、決定された測定帯域で隣接セルの信号電力瞬時値を測定する測定部と、測定された信号電力瞬時値を平均化し、前記隣接セルの信号電力を求める平均化部を有する。
【０００８】
無線信号を受信するように構成された受信機が知られている（例えば、特許文献２参照）。受信機は、受信機によって受信した無線信号の受信品質を測定するように構成された測定回路と、第１の周波数帯域幅を決定するように構成された決定回路と、決定回路によって決定された第１の周波数帯域幅を用いて第１の受信品質が決定されるように、測定回路を制御するように構成されたコントローラを備える。また、決定回路は、第２の周波数帯域幅を決定するように構成されている。第１の受信品質が第１の受信品質基準を満たしている場合には、コントローラは、第１の周波数帯域幅よりも大きい決定回路によって決定された第２の周波数帯域幅を用いて第２の測定がおこなわれることによって第２の受信品質が決定されるように、測定回路を制御する。
【０００９】
サービングセル及び周辺セルの無線品質を測定するように構成されている測定部を具備する移動局が知られている（例えば、特許文献３参照）。測定部は、測定された無線品質の測定結果に応じて、測定帯域幅及び測定区間の組み合わせを調整する。
【００１０】
端末との通信に用いる帯域の一部である第１の周波数帯域および第２の周波数帯域のうちいずれか一方を、受信品質の測定対象となる特定の周波数帯域に設定することが知られている（例えば、特許文献４参照）。
【００１１】
関連する技術として、隣接セルの信号電力を測定するユーザ装置が知られている（例えば、特許文献５参照）。ユーザ装置は、その移動速度または伝搬路のフェージング周波数を推定する移動速度推定部と、移動速度または伝搬路のフェージング周波数に応じて測定帯域幅を決定する測定帯域幅管理部と、決定された測定帯域幅で隣接セルの信号電力を測定する測定部を有する。
【先行技術文献】
【特許文献】
【００１２】
【特許文献１】国際公開第２００９／０５７４８１号パンフレット
【特許文献２】特開２００９−６０６０１号公報
【特許文献３】特開２０１１−１５５５９２号公報
【特許文献４】特開平２０１１−６１７２８号公報
【特許文献５】国際公開第２００９／０５７５２０号パンフレット
【発明の概要】
【発明が解決しようとする課題】
【００１３】
移動通信システムの通信事業者による周波数運用によっては、干渉の恐れがある複数セルの周波数帯域が重なることが考えられる。例えば、任意のＬＴＥセルの周波数帯域と、他のＬＴＥセル又は３Ｇセルの周波数帯域が重なることが考えられる。図１の（Ａ）及び図１の（Ｂ）に受信品質測定の一例を示す。
【００１４】
図１の（Ａ）には、帯域幅が１０ＭＨｚのＬＴＥセルであるＬＴＥ１の周波数帯域に対して、５ＭＨｚの帯域幅のＬＴＥセルであるＬＴＥ２の周波数帯域と５ＭＨｚの帯域幅の３Ｇセルである３Ｇ１の周波数帯域が重なる例を示している。破線は、ＬＴＥ１の周波数帯域を示し、一点鎖線はＬＴＥ２及び３Ｇ１の周波数帯域の周波数帯域を示す。
【００１５】
また、図１の（Ｂ）には、帯域幅が１０ＭＨｚのＬＴＥセルであるＬＴＥ３の周波数帯域に対して、各々５ＭＨｚの帯域幅の３Ｇセルである３Ｇ２及び３Ｇ３の周波数帯域が重なる例を示している。破線は、ＬＴＥ３の周波数帯域を示し、一点鎖線は３Ｇ２及び３Ｇ３の周波数帯域の周波数帯域を示す。
【００１６】
ここで、ＬＴＥの受信品質測定処理を行う場合に、３ＧＰＰの標準化規格である３ＧＰＰ  ＴＳ  ３６．１３３の下では、１．４ＭＨｚ帯域幅で測定すれば足り、在圏しているセルの帯域幅全域で測定する必要はない。１．４ＭＨｚ帯域幅で測定を行えば回路規模及び消費電流の低減が期待できる。
【００１７】
しかし、図１の（Ａ）に示すＬＴＥ１の帯域幅１０ＭＨｚ帯域の中心周波数部分Ｆｃ１において、５ＭＨｚ帯域幅のＬＴＥ２及び３Ｇ１の周波数が重ならない領域が存在する。また、図１の（Ｂ）に示すＬＴＥ３の帯域幅１０ＭＨｚ帯域の中心周波数部分Ｆｃ４において、５ＭＨｚ帯域幅の３Ｇ２及び３Ｇ３の周波数が重ならない領域が存在する。
【００１８】
この場合、実線Ｉａ及びＩｂで囲って示した中心周波数部分Ｆｃ１及びＦｃ４の１．４ＭＨｚ帯域幅でそれぞれ測定を行うと、周波数が重ならない帯域を測定することになる。この結果、適切にＲＳＲＱが測定されないことにより以下のケースが発生することが考えられる。
【００１９】
ケース１：１０ＭＨｚ帯域幅のＬＴＥセルから５ＭＨｚ帯域幅のＬＴＥセル又は３Ｇセルへのハンドオーバ時にサービングセルのＲＳＲＱが適切に測定されない。
【００２０】
ケース２：５ＭＨｚ帯域幅のＬＴＥセルから１０ＭＨｚ帯域幅のＬＴＥセルへのハンドオーバ時に周辺セルのＲＳＲＱが適切に測定されない。
【００２１】
ケース３：５ＭＨｚ帯域幅の３Ｇセルから１０ＭＨｚ帯域幅のＬＴＥセルへのハンドオーバ時に周辺セルのＲＳＲＱが適切に測定されない。
【００２２】
また、上記の例では、ＬＴＥ１及びＬＴＥ３の帯域幅を１０ＭＨｚとしているが、ＬＴＥ１及びＬＴＥ３の帯域幅が１５ＭＨｚ又は２０ＭＨｚの場合も、帯域幅が５ＭＨｚのＬＴＥ２、３Ｇ１、３Ｇ２及び３Ｇ３との帯域幅の組み合わせにより同様の問題が発生する。
【００２３】
図２の（Ａ）及び図２の（Ｂ）に受信品質測定の他の一例の説明図を示す。図２の（Ａ）において、実線Ｉｃで囲って示す１０ＭＨｚ帯域のＬＴＥ１の全帯域で受信品質測定を行い、全帯域の測定結果を平均化する。この場合、ＬＴＥ１とＬＴＥ２及び３Ｇ１の周波数が重ならない領域が存在した場合でも、ＬＴＥ１とＬＴＥ２及び３Ｇ１の周波数が重なって干渉する帯域を考慮した受信品質測定を行うことができる。
【００２４】
同様に、図２の（Ｂ）において、実線Ｉｄで囲って示す１０ＭＨｚ帯域のＬＴＥ３の全帯域で受信品質測定を行い、全帯域の測定結果を平均化する。この場合、ＬＴＥ３と３Ｇ２及び３Ｇ３の周波数が重ならない領域が存在した場合でも、ＬＴＥ３と３Ｇ２及び３Ｇ３の周波数が重なって干渉する帯域を考慮した受信品質測定を行うことが可能である。
【００２５】
しかし、帯域幅全域を測定する場合には、システム周波数帯域幅が１０ＭＨｚ、１５ＭＨｚ、２０ＭＨｚと広がるにつれて回路規模・消費電流が増大する。図３は、システム周波数帯域幅と、受信信号に施すＦＦＴ（Fast Fourier Transform）処理のポイント数であるＦＦＴポイント数と、有効サブキャリアの関係を示す表である。システム周波数帯域幅が広がると、受信品質測定処理のためのＦＦＴポイント数及び有効サブキャリア数が増える。この結果、処理されるデータ量の増大により消費電力及び回路規模が増えることになる。
【００２６】
本明細書に開示される装置又は方法は、低い消費電力で高精度に測定対象セルの受信品質を測定することを目的とする。
【課題を解決するための手段】
【００２７】
装置の一観点によれば受信品質測定装置が与えられる。受信品質測定装置は、受信信号の第１サンプリングレートの第１サンプル列、及び受信信号の第２サンプリングレートの第２サンプル列の少なくとも一方をダウンサンプリングすることにより、第１サンプル列及び第２サンプル列のサンプリングレートを共通のサンプリングレートに合わせるレート変更部と、共通のサンプリングレートの第１サンプル列及び第２サンプル列の何れか一方のサンプル列に含まれる所定数のサンプルの電力の累計に応じた電力強度を算出する電力算出部を備える。
【発明の効果】
【００２８】
本明細書に開示される装置又は方法によれば、低い消費電力で高精度に測定対象セルの受信品質を測定することができる。
【図面の簡単な説明】
【００２９】
【図１】受信品質測定の一例の説明図である。
【図２】受信品質測定の他の一例の説明図である。
【図３】システム周波数帯域幅とＦＦＴポイント数及び有効サブキャリアの関係を示す図である。
【図４】移動局装置の一例のハードウエア構成図である。
【図５】サーチ部の機能構成の一例の説明図である。
【図６】ＲＳＳＩ（Received Signal Strength Indicator）算出部の機能構成の一例の説明図である。
【図７】レート変更部に入力される受信ＩＱデータの信号フォーマットの説明図である。
【図８】サーチ部における受信品質測定動作の説明図である。
【図９】システム周波数帯域幅とリソースブロック数の対応表である。
【発明を実施するための形態】
【００３０】
以下、添付する図面を参照して好ましい実施例について説明する。
＜移動局装置の構成＞
図４に移動局装置の一例のハードウエア構成図を示す。以下の説明は、移動局装置１がＬＴＥに準拠する移動局装置である場合の例示を使用する。しかし、但しこの例示は、本明細書に記載される移動局装置が、ＬＴＥに準拠する移動局装置のみに限定して適用されることを意図するものではない。本明細書に記載される移動局装置は、受信品質を測定する移動局装置において広く適用可能である。
【００３１】
移動局装置１は、アンテナ（ＡＮＴ）１１と、ＲＦＩＣ（Radio Frequency Integrated Circuit）１２と、ベースバンド部１３と、ＣＰＰ（C-plane Processor）２２と、ＵＰＰ（U-plane Processor）２３を備える。ベースバンド部１３は、ＲＦＩＦ（Radio Frequency Interface）１４と、サーチ部１５と、復調部１６と、復号部１７と、符号化部１８と、変調部１９を備える。
【００３２】
なお、図４のハードウエア構成は実施例の説明のための例示にすぎない。以下の動作を実行するものであれば、本明細書に記載される移動局装置は他のどのようなハードウエア構成を採用してもよい。また、以下の説明において、移動局装置を「移動局」と表記することがある。
【００３３】
アンテナ１１は移動局１に搭載され、無線信号の送受信を行う。ＲＦＩＣ１２は送信するベースバンド信号を高周波信号にアップコンバートしてアンテナ１１に供給し、また、アンテナ１１で受信した高周波信号をベースバンド信号にダウンコンバートしてベースバンド部１３のＲＦＩＦ１４に供給する。
【００３４】
ベースバンド部１３は、例えばＦＰＧＡ（Field-Programming Gate Array）やＡＳＩＣ（Application Specific Integrated Circuit）などのＬＳＩ（Large Scale Integration）であってよい。また、ベースバンド部１３は、所定のプログラムに従って動作するプロセッサであってもよい。ＲＦＩＦ１４は、ＲＦＩＣ１２と、ベースバンド部１３内のＬＴＥシステム並びに３Ｇ又はＧＳＭ（登録商標）（Global System for Mobile communications）など複数のＲＡＴ（Radio Access Technology）との仲介を行う。
【００３５】
ベースバンド部１３内のサーチ部１５は、受信ＩＱデータを受信する。受信ＩＱデータは、受信ベースバンド信号をデジタル形式に変換して生成された同相成分データ及び直交位相成分データを含む。サーチ部１５は、受信ＩＱデータに基づいてバンドサーチ、セルサーチ、パスサーチそれぞれのサーチ処理を行い、セルの先頭タイミングを検出してＦＦＴ処理を行う。サーチ部１５は、ＲＳＲＰ、ＲＳＳＩ及びＲＳＲＱを算出する。
【００３６】
復調部１６は、サーチ部１５から供給されるＦＦＴ処理結果を用いてチャネル推定処理及び復調処理を行う。復調部１６は、ＰＣＦＩＣＨ（Physical Control Format Indicator CHannel）、ＰＨＩＣＨ（Physical Hybrid Automatic Repeat Request Indicator CHannel）の復号処理を行う。復調部１６は、ＰＤＣＣＨ（Physical Downlink Control CHannel）、ＰＢＣＨ（Physical Broadcast CHannel）の復号処理を行う。復調部１６はＣＱＩ生成などの伝搬路環境測定を行う。
【００３７】
復号部１７は復調されたＰＤＳＣＨ（Physical Downlink Shared CHannel）のデレートマッチング処理を行い、ターボデコードからＣＲＣ（Cyclic Redundancy Check）チェックまでの処理を実施する。復号部１７は、再送ＰＤＳＣＨに対してターボデコード前にＨＡＲＱ（Hybrid Automatic Repeat reQuest）合成処理を行う。復号部１７で復号されたデータはＣＰＵバス２１を通してＣＰＰ２２とＵＰＰ２３に供給される。
【００３８】
ＣＰＰ２２は、主にレイヤ３プロトコル処理と、受信品質測定制御処理を行う。ＣＰＰ２２には、受信品質測定制御処理で使用される不揮発メモリ２２ａが併設されている。ＵＰＰ２３は主にレイヤ２プロトコル処理を行う。
【００３９】
符号化部１８は、ＵＰＰ２３から供給されるＵＬ−ＳＣＨ（UpLink-Shared CHannel）について、ＣＲＣ符号の付加、ターボ符号化、レートマッチング処理及びスクランブル処理を行う。また、チャネル品質情報や再送制御情報等の制御情報に対して、ＣＲＣ符号の負荷、テールバイティング畳み込み符号化、リードミュラー符号化、レートマッチング処理およびスクランブル処理を行う。
【００４０】
変調部１９は、符号化されたＵＬ−ＳＣＨ及び付随する制御チャネルについて変調処理、ＤＦＴ（Discrete Fourier Transform）処理、ＩＦＦＴ（Inverse FFT）処理を行う。また、変調部１９はＲＡＣＨ（Random Access CHannel）送信において、プリアンブル生成、ＤＦＴ処理、ＩＤＦＴ（Inverse DFT）処理を行う。変調部１９はタイミングアドバンス情報により、送信制御におけるタイミング制御を行う。
【００４１】
＜サーチ部１５の構成＞
図５は、サーチ部１５の機能構成の一例の説明図である。サーチ部１５は、サンプリングレート変換部３０と、帯域フィルタリング部３１と、ＲＳＳＩ算出部３４と、受信品質測定部３５と、セルサーチ部３６と、パスサーチ部３７と、ＦＦＴ部３８を備える。なお、図５の機能構成図は、本明細書で説明される機能に関係する構成を中心に示している。サーチ部１５は、図示の構成要素以外の他の構成要素を含んでいてよい。図６の機能構成の説明図についても同様である。
【００４２】
サンプリングレート変換部３０は、ＲＦＩＦ１４内のアナログデジタル変換回路においてサンプリングレートＲＡでサンプリングされた受信ＩＱデータを、ベースバンド部１３内での処理速度に応じたサンプリングレートＲＢの信号に変換する。サンプリングレート変換部３０は、サンプリングレートＲＡからサンプリングレートＲＢへの変換処理に対する前処理として受信ＩＱデータの振幅補正を行ってもよい。
【００４３】
サンプリングレートＲＡはシステム周波数帯域幅に応じて変化する。システム周波数帯域幅が１．４、３、５、１０、１５及び２０ＭＨｚの場合に、サンプリングレートＲＡは、それぞれ例えば１．９２、３．８４、７．６８、１５．３６、２３．０４及び３０．７２ＭＨｚである。一方で、サンプリングレートＲＢは固定の３０．７２ＭＨｚ（３０．７２×１０６サンプル／秒）であってよい。変換後のサンプリングレートＲＢの受信ＩＱデータは、帯域フィルタリング部３１、ＲＳＳＩ算出部３４、セルサーチ部３６、パスサーチ部３７、ＦＦＴ部３８にそれぞれに供給される。
【００４４】
帯域フィルタリング部３１は、帯域フィルタ３２とメモリ３３を備える。帯域フィルタ３２は、測定対象セルの受信信号を中心周波数から１．４ＭＨｚ帯域で通過させるフィルタリングを行う。帯域フィルタリング３２でフィルタリングした情報は、ＲＳＲＰ測定に用いる。また、帯域フィルタリング部３１は、受信アンテナブランチ毎に独立した帯域フィルタ３２を備えてよい。例えば、受信アンテナブランチがＮ個ある場合には、帯域フィルタリング部３１は合計Ｎ回路の帯域フィルタ３２を備えてよい。
【００４５】
メモリ３３は、帯域フィルタ３２の出力信号を記憶する。メモリ３３は、例えば５ｍｓ間に伝送されるＯＦＤＭ（Orthogonal Frequency Division Multiplexing）シンボル数に、拡張ＣＰ（Extended Cyclic Prefix）のシンボル数１を加えた数のシンボルを格納できる記憶容量を有していてよい。メモリ３３に記憶された帯域フィルタ３２の出力信号は、その後、受信品質測定部３５に供給される。
【００４６】
ＲＳＳＩ算出部３４は、システム周波数帯域の全周波数帯域におけるＲＳＳＩを算出する。ＲＳＳＩ算出部３４は、ＲＳＳＩの算出結果を受信品質測定部３５に送信する。
【００４７】
受信品質測定部３５は、帯域フィルタ３２の出力信号から測定対象セルについてのＲＳＲＰを測定する。受信品質測定部３５は、測定したＲＳＲＰと、ＲＳＳＩ算出部３４により算出されたＲＳＳＩに基づいてＲＳＲＱを算出する。受信品質測定部３５は、ＲＳＳＩと、ＲＳＲＰと、ＲＳＲＱを受信品質測定結果としてＣＰＰ２２に送信する。
【００４８】
セルサーチ部３６は、バンドサーチ、ＡＦＣ（Automatic Frequency Control）、初期セルサーチ、周辺セルサーチの処理を行い、レベル情報、ＡＦＣ偏差、セルＩＤ、タイミング情報などをＣＰＰ２２に送信する。
【００４９】
パスサーチ部３７は、受信ＩＱデータの平均化及びピーク検出を行い、移動局１が在圏するセルと周囲のセルにおけるパスサーチを行い、それぞれのセルにおける無線フレームの先頭をパスタイミングとして検出する。パスサーチ部３７は、パスタイミングのタイミング信号をＦＦＴ部３８とＣＰＰ２２に送信する。
【００５０】
ＦＦＴ部３８は、パスサーチ部３７による無線フレームの先頭の検出結果に基づいて、ベースバンド信号のＦＦＴ処理を行い、処理結果のシンボルデータとＦＦＴタイミングをＣＰＰ２２に送信する。
【００５１】
図６は、ＲＳＳＩ算出部３４の機能構成の一例の説明図である。ＲＳＳＩ算出部３４は、レート変更部４０と、電力算出部４１と、電力記憶部４２−１〜４２−ｎと、第１タイミング決定部４３と、第２タイミング決定部４４と、計算部４５−１〜４５−ｎを受信アンテナブランチ毎に個別に備える。
【００５２】
ＲＳＳＩ算出部３４は、電力記憶部４２−１〜４２−ｎ及び計算部４５−１〜４５−ｎのそれぞれをｎ個の測定対象のセル毎に個別に備える。電力記憶部４２−１〜４２−ｎを総称して、「電力記憶部４２」と表記することがある。計算部４５−１〜４５−ｎを総称して「計算部４５」と表記することがある。
【００５３】
レート変更部４０は、サンプリングレートＲＢの受信ＩＱデータをダウンサンプリングし、受信ＩＱデータのサンプリングレートをサンプリングレートＲＢよりも低いサンプリングレートＲＣへ変更する。例えば、サンプリングレートＲＣは、システム周波数帯域幅１．４ＭＨｚに対応する１．９２ＭＨｚであってよい。以下、サンプリングレートＲＣのデータのサンプリング周期をＴｓと表記することがある。
【００５４】
図７はレート変更部４０に入力されるサンプリングレートＲＢの受信ＩＱデータの信号フォーマットの説明図である。１つのサブフレームは２つのスロットを含み、１つのスロットが７個のＯＦＤＭシンボルを含んでいる。
【００５５】
参照符号５０は、システム周波数帯域幅が１５ＭＨｚ又は２０ＭＨｚである場合の受信ＩＱデータを示す。時刻ｔ１〜ｔ２０４９におけるサンプルは、それぞれＳ１〜Ｓ２０４９であり、１個のシンボル周期中に２０４８個のサンプルＳ１〜Ｓ２０４８を含む。レート変更部４０は、サンプリングレート変換部３０で変換される前のサンプリングレートＲＡが３０．７２ＭＨｚである場合、参照符号５０で示す受信ＩＱデータから１６サンプル周期で時刻ｔ１、ｔ１７…のサンプルＳ１、Ｓ１７…を取り出し、他のサンプルを廃棄することで、サンプリングレートＲＢの受信ＩＱデータをサンプリングレート１．９２ＭＨｚのデータにダウンサンプリングしてよい。
【００５６】
参照符号５１は、システム周波数帯域幅が１０ＭＨｚである場合の受信ＩＱデータを示す。時刻ｔ１、ｔ３、ｔ５、ｔ７、ｔ９、ｔ１１、ｔ１３、ｔ１５及びｔ１７におけるサンプルは、それぞれＳ１〜Ｓ９であり、１個のシンボル周期中に１０２４個のサンプルＳ１〜Ｓ１０２４を含む。例えばレート変更部４０は、サンプリングレート変換部３０で変換される前のサンプリングレートＲＡが１５．３６ＭＨｚである場合、参照符号５１で示す受信ＩＱデータから８サンプル周期で時刻ｔ１、ｔ１７…のサンプルＳ１、Ｓ９…を取り出し、他のサンプルを廃棄することで、サンプリングレートＲＢの受信ＩＱデータをサンプリングレート１．９２ＭＨｚのデータにダウンサンプリングしてよい。
【００５７】
参照符号５２は、システム周波数帯域幅が５ＭＨｚである場合の受信ＩＱデータを示す。時刻ｔ１、ｔ５、ｔ９、ｔ１３及びｔ１７におけるサンプルは、それぞれＳ１〜Ｓ５であり、１個のシンボル周期中に５１２個のサンプルＳ１〜Ｓ５１２を含む。例えば、レート変更部４０は、サンプリングレート変換部３０で変換される前のサンプリングレートＲＡが７．６８ＭＨｚである場合、参照符号５２で示す受信ＩＱデータから４サンプル周期で時刻ｔ１、ｔ１７…のサンプルＳ１、Ｓ５…を取り出し、他のサンプルを廃棄することで、サンプリングレートＲＢの受信ＩＱデータをサンプリングレート１．９２ＭＨｚのデータにダウンサンプリングしてよい。
【００５８】
参照符号５３は、システム周波数帯域幅が３ＭＨｚである場合の受信ＩＱデータを示す。時刻ｔ１、ｔ９及びｔ１７におけるサンプルは、それぞれＳ１〜Ｓ３であり、１個のシンボル周期中に２５６個のサンプルＳ１〜Ｓ２５６を含む。例えば、レート変更部４０は、サンプリングレート変換部３０で変換される前のサンプリングレートＲＡが３．８４ＭＨｚである場合、参照符号５３で示す受信ＩＱデータから２サンプル周期で時刻ｔ１、ｔ１７…のサンプルＳ１、Ｓ３…を取り出し、他のサンプルを廃棄することで、サンプリングレートＲＢの受信ＩＱデータをサンプリングレート１．９２ＭＨｚのデータにダウンサンプリングしてよい。
【００５９】
参照符号５４は、システム周波数帯域幅が１．４ＭＨｚである場合の受信ＩＱデータを示す。時刻ｔ１及びｔ１７におけるサンプルは、それぞれＳ１及びＳ２であり、１個のシンボル周期中に１２８個のサンプルＳ１〜Ｓ１２８を含む。例えば、レート変更部４０は、サンプリングレート変換部３０で変換される前のサンプリングレートＲＡが１．９２ＭＨｚである場合、参照符号５４で示す受信ＩＱデータから各サンプル毎に時刻ｔ１、ｔ１７…のサンプルＳ１、Ｓ２…を取り出すことで、サンプリングレートＲＢの受信ＩＱデータをサンプリングレート１．９２ＭＨｚのデータにダウンサンプリングしてよい。
【００６０】
電力算出部４１は、受信ＩＱデータのＩＱ電力加算値ＰＢＢを算出する。電力算出部４１は、測定対象セルｃ、受信アンテナａ、スロットｎ及びＯＦＤＭシンボルｔにおけるＩＱ電力加算値ＰＢＢを次式（１）によって算出する。
【００６１】
【数１】
2014160974.tif 000003
【００６２】
ｒ’（ａ，ｎ，ｔ，ｋ）は、レート変更部４０によるダウンサンプリング後のサンプリングレートＲＣの受信ＩＱデータのサンプル値であり、ｔはＲＳ（Reference Signal）を含むいずれかのＯＦＤＭシンボルのシンボル番号である。ＴＩＭ（ｃ）は、測定対象セルｃのパスタイミングＰＴ（ｃ）とＣＰ長ＣＰＬＥＮ（ｃ）とサブフレームフォーマットＳＦ（ｃ）から定まるＲＳの開始サンプルのインデクス値（ＲＳ開始位置）である。例えばレート変更部４０によるダウンサンプリング後のサンプリングレートＲＣが１．９２ＭＨｚの場合、ＲＳＳＩＬＥＮの値は「１２８」であってよい。さらに、ＲＳＳＩＬＥＮ値として、パスタイミングの最大変動幅（例えば±８サンプル分）を考慮した値を用いてもよい。例えば、１．９２ＭＨｚレートのＯＦＤＭシンボル１２８サンプルから最大変動幅に相当するサンプル数（例えば１６＝８サンプル×２）を減算した１１２をＲＳＳＩＬＥＮ値として用いてもよい。
【００６３】
但し、電力算出部４１がＩＱ電力加算値ＰＢＢを算出する時点では、パスタイミングＰＴ（ｃ）がまだ検出されていない場合がある。このため、電力算出部４１は、サンプリングレートＲＣのサンプリングタイミング毎に次式（２）のＩＱ電力の移動累計をＩＱ電力加算値の候補ＰＢＢＣとして出力してもよい。ＴＩＭ０は、各サンプルの位置である。すなわち、レート変更部４０にてダウンサンプリングすることにより、１シンボル内のサンプル数がサンプリングレートＲＢの場合よりも減少するため、式（２）に例示する演算に係るコスト（演算量など）を低減でき、回路規模の増大・消費電力の浪費を効果的に抑制できる。
【００６４】
【数２】
2014160974.tif 000004
【００６５】
電力算出部４１が出力する候補ＰＢＢＣは、電力記憶部４２に格納される。測定対象のセルにおけるそれぞれのパスタイミングが検出された時点で、ＲＳを含むＯＦＤＭシンボル位置ｔと、パスタイミングＰＴ（ｃ）に応じて定まるＴＩＭ（ｃ）について算出されたＩＱ電力加算値ＰＢＢが電力記憶部４２からそれぞれ取り出される。
【００６６】
第１タイミング決定部４３は、測定対象のセルにおけるパスタイミングのタイミング信号をＣＰＰ２２から受信する。第１タイミング決定部４３は、過去に検出したパスタイミングに基づいて、電力記憶部４２に候補ＰＢＢＣを格納するタイミングを定める。
【００６７】
例えば、第１タイミング決定部４３は、前回のパスサーチ時又はセルサーチ時に検出したパスタイミングＰＴに基づいて、候補ＰＢＢＣの格納タイミングの基準タイミングｔｃ０を定める。第１タイミング決定部４３は、パスタイミングがＰＴである場合のＲＳ開始時刻（ＲＳ開始位置）ＲＴを決定する。パスタイミングＰＴを検出した無線フレームから現在の無線フレームまでのフレーム数をＦＮとし、無線フレーム周期をＴＦとすると、基準タイミングｔｃ０は、ｔｃ０＝ＲＴ＋ＦＮ×ＴＦによって算出できる。
【００６８】
第１タイミング決定部４３は、時刻ｔｃ０＋ｊ×Ｔｓ（変数ｊは−Δｖ〜Δｖの整数）のそれぞれを候補ＰＢＢＣの格納タイミングとして決定する。周期Ｔｓは、サンプリングレートＲＣの受信ＩＱデータのサンプリング周期である。格納タイミングｔｃ０の前後Δｖ×Ｔｓの範囲でＩＱ電力加算値を記憶するのは、実際のパスタイミングが過去のパスタイミングから予測されるパスタイミングｔｃ０から（−Δｖ×Ｔｓ）〜（Δｖ×Ｔｓ）の幅で変動する可能性を考慮するためである。
【００６９】
したがって、時刻ｔｃ０＋ｊ×Ｔｓはパスタイミングの複数の候補に相当し、Δｖはパスタイミングの許容変動幅に相当する。格納タイミングはＣＰＰ２２が決定して電力記憶部４２に与えてもよく、電力記憶部４２がタイミング信号に基づいて算出してもよい。
【００７０】
第２タイミング決定部４４は、ＣＰＰ２２からパスタイミングのタイミング信号を受信すると、パスタイミングＰＴ（ｃ）に応じて定まるＴＩＭ（ｃ）について算出されたＩＱ電力加算値ＰＢＢを電力記憶部４２から読み出して計算部４５へ出力する。計算部４５は、ＩＱ電力加算値ＰＢＢをＲＳＳＩＬＥＮで除算してＲＳＳＩを算出し、所定数のスロットにわたるＲＲＳＩの平均値を受信品質測定部３５へ出力する。
【００７１】
なお、移動局１がＬＴＥ−ＴＤＤ（Time Division Duplex）方式で動作する場合、ＲＳＳＩ算出部３４は、ＵＬ−ＤＬコンフィグレーション及びスペシャルサブフレームコンフィグレーションでＤＬに割り当てられている期間にＲＳＳＩを算出してよい。
【００７２】
変形例では、電力算出部４１がＩＱ電力加算値ＰＢＢを算出する際に累計するシンボルの電力の計算値を、パスタイミングの許容変動幅Δｖに応じて低減してもよい。例えば電力算出部４１は、次式（３）に基づいてＩＱ電力加算値ＰＢＢを算出する。
【００７３】
【数３】
2014160974.tif 000005
【００７４】
式（３）のＩＱ電力加算値ＰＢＢは、パスタイミングが（−Δｖ×Ｔｓ）〜（Δｖ×Ｔｓ）の幅で変動しても影響を受けない。このため、本変形例では（２Δｖ＋１）個のＩＱ電力加算値の候補ＰＢＢＣの格納を省略してよい。
【００７５】
＜受信品質測定制御のフローチャート＞
図８は、サーチ部１５における受信品質測定動作の説明図である。また、図８を参照して説明する一連の動作は複数の手順を含む方法と解釈してもよい。この場合に「オペレーション」を「ステップ」と読み替えてもよい。オペレーションＡＡにおいてパスサーチ部３７は、ある時点でセルサーチ動作又はパスサーチ動作を行う際にパスタイミングＰＴを検出する。パスサーチ部３７は、パスタイミングＰＴをＣＰＰ２２へ出力する。ＲＳＳＩ算出部３４の第１タイミング決定部４３は、パスタイミングＲＴをＣＰＰ２２から取得する。
【００７６】
また、パスサーチ部３７は、パスサーチ動作を行う度に検出したパスタイミングをＣＰＰ２２へ出力する。第２タイミング決定部４４は、パスタイミングＲＴをＣＰＰ２２から取得する。
【００７７】
オペレーションＡＢにおいてサーチ部１５は、受信ＩＱデータを入力する。オペレーションＡＣにおいてサンプリングレート変換部３０は、受信ＩＱデータをサンプリングレートＲＢの信号に変換する。オペレーションＡＤにおいて受信品質測定部３５は、測定対象セルについてのＲＳＲＰを測定する。
【００７８】
オペレーションＡＥにおいてレート変更部４０は、受信ＩＱデータをダウンサンプリングし、受信ＩＱデータのサンプリングレートをサンプリングレートＲＢよりも低いサンプリングレートＲＣへ変更する。オペレーションＡＦにおいて電力算出部４１は、サンプリング周期Ｔｓ毎にＩＱ電力加算値の候補ＰＢＢＣを算出する。
【００７９】
オペレーションＡＧにおいて第１タイミング決定部４３は、パスタイミングＰＴに基づいて電力記憶部４２に候補ＰＢＢＣを格納するタイミングが到来したか否かを判断する。格納タイミングが到来した場合（オペレーションＡＧ：Ｙ）に動作はオペレーションＡＨに進む。格納タイミングが到来しない場合（オペレーションＡＧ：Ｎ）に、動作はオペレーションＡＩに進む。
【００８０】
オペレーションＡＨにおいて第１タイミング決定部４３は、候補ＰＢＢＣを電力記憶部４２に格納する。その後動作はオペレーションＡＩに進む。オペレーションＡＩにおいて第２タイミング決定部４４は、ＣＰＰ２２から受信するパスタイミングに応じて、電力加算値ＰＢＢの読み出しタイミングが到来したか否かを判断する。読み出しタイミングが到来した場合（オペレーションＡＩ：Ｙ）に動作はオペレーションＡＪへ進む。読み出しタイミングが到来しない場合（オペレーションＡＩ：Ｎ）に動作はオペレーションＡＢに戻る。
【００８１】
オペレーションＡＪにおいて第２タイミング決定部４４は、電力加算値ＰＢＢを電力記憶部４２から読み出して計算部４５へ出力する。オペレーションＡＫにおいて計算部４５は、ＲＳＳＩを算出する。オペレーションＡＬにおいて受信品質測定部３５は、測定したＲＳＲＰと、ＲＳＳＩ算出部３４により算出されたＲＳＳＩに基づいてＲＳＲＱを算出する。例えば、受信品質測定部３５は、次式（４）に従ってＲＳＲＱを算出してよい。
【００８２】
ＲＳＲＱ＝ＲＳＲＰ＋１０ｌｏｇ（ＲＢ数）−ＲＳＳＩ        …（４）
【００８３】
式（４）式におけるＲＢ数は、ＲＳＳＩの測定が行われた帯域幅に応じたリソースブロック数である。ＲＢ数は、レート変更部４０によるダウンサンプリング後のサンプリングレートＲＣに対応するシステム周波数帯域幅に応じたリソースブロック数であってよい。図９は、システム周波数帯域幅とリソースブロック数の対応表である。ダウンサンプリング後のサンプリングレートＲＣが１．９２ＭＨｚである場合、リソースブロック数は、システム周波数帯域幅１．４ＧＨｚに対応する６個であってよい。
【００８４】
受信品質測定部３５は、ＲＳＳＩと、ＲＳＲＰと、ＲＳＲＱを受信品質測定結果としてＣＰＰ２２に送信する。その後に動作はオペレーションＡＢに戻る。
【００８５】
本実施例によれば、移動局装置１のシステム周波数帯域の全帯域にわたって測定されたＲＳＳＩに基づいてＲＳＲＱを測定することが可能となる。このため、干渉の恐れのある複数セルのシステム周波数帯域間に周波数が重ならない領域が存在した場合でも、これらのシステム周波数帯域の重複部分の干渉を考慮した受信品質測定を行うことが可能である。さらに、本実施例によれば、ダウンサンプリングされたＩＱ受信データを用いてＲＳＳＩの測定を行うため、帯域幅全域で測定する際の計算規模が低減され、回路規模・消費電流が低減される。
【００８６】
また本実施例は、移動局装置１が在圏するセルのシステム周波数帯域幅が変化しても、共通のサンプリングレートＲＣにダウンサンプリングされたＩＱ受信データを用いてＲＳＳＩの測定を行う。このため、異なるシステム周波数帯域幅について共通の計算回路でＲＳＳＩを算出することで回路の共通化により回路規模が低減され、その結果、消費電流が低減される。
【符号の説明】
【００８７】
１    移動局装置
１５    サーチ部
２２    ＣＰＰ（C-plane Processor）
３４    ＲＳＳＩ算出部
３５    受信品質測定部
３７    パスサーチ部
４０    レート変更部
４１    電力算出部
４２、４２−１〜４２−ｎ    電力記憶部
４３    第１タイミング決定部
４４    第２タイミング決定部
４５、４５−１〜４５−ｎ    計算部
【図１】
2014160974.tif 000006
【図２】
2014160974.tif 000007
【図３】
2014160974.tif 000008
【図４】
2014160974.tif 000009
【図５】
2014160974.tif 000010
【図６】
2014160974.tif 000011
【図７】
2014160974.tif 000012
【図８】
2014160974.tif 000013
【図９】
2014160974.tif 000014